(57)【要約】【課題】空気が流れ込む空気流入口について、埃等による空気流入量の低下を抑制することができ、しかも、掃除を容易なものとすることができる建物の空間仕切構造を提供する。【解決手段】階段１５の一段目の蹴込部３２には、一階廊下１１Ｂから階段下空間３５に空気を流れ込ませることが可能な一段目通気部５１が設けられている。一段目通気部５１には取付枠６２が設けられており、その取付枠６２には、一階廊下１１Ｂ側からの着脱が可能な状態で通気グリル６１が取り付けられている。一段目通気部５１は床面から上方に向けて延びており、取付枠６２は床面の上に設置されている。取付枠６２は下枠部６８を有しており、下枠部６８は通気グリル６１よりも階段下空間３５側において床面の上に載置されている。【選択図】      図１
2014136863.tif 000002
【特許請求の範囲】
【請求項１】
屋内空間として互いに隣り合う第１空間と第２空間との間に設けられ、それら第１空間と第２空間とを仕切る仕切体と、
前記仕切体に設けられ、前記第１空間から前記第２空間に空気を流れ込ませることが可能な空気流入口と、
前記第１空間側からの着脱が可能な状態で前記空気流入口に設けられている通気グリルと、
を備え、
前記第１空間と前記第２空間とで床面が連続しており、
前記空気流入口は、前記床面から上方に向けて延びており、
前記通気グリルよりも前記第２空間側においては、前記空気流入口の幅方向に沿って延びる床上部材が前記床面の上に設けられており、
前記通気グリルが前記空気流入口から取り外された場合、前記床面と前記床上部材との段差部分が前記空気流入口を通じて前記第１空間側に露出することを特徴とする建物の空間仕切構造。
【請求項２】
前記通気グリルは、前記床面との間に所定間隔の隙間が形成されるように該床面から上方に離間して設けられていることを特徴とする請求項１に記載の建物の空間仕切構造。
【請求項３】
前記空気流入口には、前記通気グリルが着脱可能に取り付けられた取付枠が設けられており、
前記取付枠は、上下方向に延びている一対の縦枠部を有しており、
前記床上部材は、前記一対の縦枠部の各下端に掛け渡された状態で前記床面の上に設置されていることを特徴とする請求項１又は２に記載の建物の空間仕切構造。
【請求項４】
前記床上部材は、前記取付枠から前記通気グリルが取り外された状態で、前記縦枠部から前記第１空間側に取り外すことが可能になっていることを特徴とする請求項３に記載の建物の空間仕切構造。
【請求項５】
前記通気グリルは、前記縦枠部との間に前記床上部材を介在させた状態で該縦枠部に対して着脱可能に取り付けられており、
前記床上部材は、前記縦枠部と前記通気グリルとの間に挟まれることで前記縦枠部に対する組み付け状態で保持され、前記縦枠部から前記通気グリルが取り外されることに伴って前記組み付け状態が解除されるものであることを特徴とする請求項４に記載の建物の空間仕切構造。
【請求項６】
前記通気グリルは、当該通気グリルの幅方向に延びる複数のスラットと、それらスラットを連結する連結部材とを有しており、
前記連結部材は、各スラットに掛け渡されるようにして上下方向に延びる長尺部材であり、前記縦枠部との間に前記床上部材を介在させる位置に設けられており、前記縦枠部との間に前記床上部材を介在させた状態で該縦枠部に重ねられていることを特徴とする請求項５に記載の建物の空間仕切構造。
【請求項７】
前記縦枠部には、前記通気グリルとは反対側に向けて凹んだ凹み部が形成されており、
前記床上部材は、前記凹み部に入り込んだ状態で前記縦枠部と前記連結部材との間に介在していることを特徴とする請求項６に記載の建物の空間仕切構造。
【請求項８】
前記通気グリルにおける複数のスラットのうち最下段のスラットと、前記床上部材との間に隙間が形成されており、
前記最下段のスラットにおいては、前記第１空間側の端部が前記床上部材の上端部よりも低い位置にあり、前記第２空間側の端部が前記床上部材の上端部よりも高い位置にあることを特徴とする請求項１乃至７のいずれか１項に記載の建物の空間仕切構造。
【請求項９】
階段と、該階段を昇降するための昇降空間と、同階段の下方に形成された階段下空間とを備えている建物に適用され、
前記仕切体には、前記第１空間としての前記昇降空間と、前記第２空間としての前記階段下空間との間に立設され、前記階段における各段の蹴込部が含まれており、
前記空気流入口は、前記各段の蹴込部のうち最下段の蹴込部に設けられており、
前記通気グリルは、前記昇降空間側からの着脱が可能な状態で前記最下段の蹴込部に対して取り付けられていることを特徴とする請求項１乃至８のいずれか１項に記載の建物の空間仕切構造。
【請求項１０】
階段と、該階段を昇降するための昇降空間と、同階段の下方に形成された階段下空間とを備え、
前記階段は、前記昇降空間と前記階段下空間との間に立設された蹴込部を有しており、
前記蹴込部には、前記昇降空間から前記階段下空間に空気を流れ込ませることが可能な空気流入口が設けられ、
前記空気流入口には通気グリルが設けられており、該通気グリルは、前記蹴込部に対してマグネットにより固定されていることを特徴とする建物の空間仕切構造。
【発明の詳細な説明】
【技術分野】
【０００１】
本発明は、建物の空間仕切構造に関するものである。
【背景技術】
【０００２】
住宅等の建物においては、床面から上方に向けて延びる仕切体に通気口が形成されており、その通気口に通気グリルが取り付けられていることがある。ちなみに、仕切体としては、階段の蹴込部や間仕切壁などが挙げられ、通気口としては、建物の空調システムにおいて還気を取り込む還気口などが挙げられる。ここで、通気口には空気と共に埃等が入り込むことが想定され、通気口を通る空気から埃等を除去することを目的として、通気口に対してフィルタを取り付ける技術が提案されている。
【０００３】
例えば特許文献１では、階段の蹴込板に通気口が形成され、その通気口に通気グリルが取り付けられ、通気グリルの奥側（階段下空間側）にフィルタが設置されているという構成が開示されている。この構成では、通気グリル及びフィルタのいずれも手前側（階段下空間とは反対側）に取り外し可能とされており、フィルタを階段から取り外すことでそのフィルタの掃除を容易に行うことができるようになっている。
【先行技術文献】
【特許文献】
【０００４】
【特許文献１】特開平９−８８１９８号公報
【発明の概要】
【発明が解決しようとする課題】
【０００５】
しかしながら、通気口に対して通気グリル及びフィルタの両方が取り付けられている場合、通気グリルを取り外しただけではフィルタが存在するため、フィルタよりも奥側を掃除することができず、フィルタよりも奥側を掃除するにはフィルタを取り外す必要がある。また、埃等によりフィルタの目詰まりが生じた場合には、フィルタを通過する空気量が減少することが懸念される。つまり、通気口における通気量が減少するということが懸念される。
【０００６】
本発明は、上記事情に鑑みてなされたものであり、空気が流れ込む空気流入口について、埃等による空気流入量の低下を抑制することができ、しかも、掃除を容易なものとすることができる建物の空間仕切構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の空間仕切構造は、屋内空間として互いに隣り合う第１空間と第２空間との間に設けられ、それら第１空間と第２空間とを仕切る仕切体と、前記仕切体に設けられ、前記第１空間から前記第２空間に空気を流れ込ませることが可能な空気流入口と、前記第１空間側からの着脱が可能な状態で前記空気流入口に設けられている通気グリルと、を備え、前記第１空間と前記第２空間とで床面が連続しており、前記空気流入口は、前記床面から上方に向けて延びており、前記通気グリルよりも前記第２空間側においては、前記空気流入口の幅方向に沿って延びる床上部材が前記床面の上に設けられており、前記通気グリルが前記空気流入口から取り外された場合、前記床面と前記床上部材との段差部分が前記空気流入口を通じて前記第１空間側に露出することを特徴とする。
【０００９】
第１の発明によれば、空気流入口に対して床上部材が設けられているため、第１空間の空気が空気流入口を通じて第２空間に流れ込む場合に、その空気と一緒に流れ込む埃等が床上部材に引っ掛かってその床上部材の手前側に溜まりやすくなる。この場合、床上部材の手前側に埃等が溜まっていても、空気流入口における空気流入量が低下することにはならない。
【００１０】
しかも、第１空間から見て床上部材は通気グリルの奥側に配置されているため、第１空間からの空気流入口の見た目が床上部材に引っ掛かった埃等により損なわれることを抑制できる。また、空気流入口から通気グリルを取り外すことで、ユーザは第１空間にいながらにして、床上部材の手前側に溜まった埃等を除去することはもちろんのこと、床上部材の奥側も掃除することができる。
【００１１】
以上により、空気が流れ込む空気流入口について、埃等による空気流入量の低下を抑制することができ、しかも、掃除を容易なものとすることができる。
【００１２】
第２の発明では、第１の発明において、前記通気グリルは、前記床面との間に所定間隔の隙間が形成されるように該床面から上方に離間して設けられている。
【００１３】
第２の発明によれば、通気グリルと床面との間の隙間を通じて流れる空気は、床上部材を上側に避けるようにして第２空間に流れ込むことになる。この場合、空気と共に第１空間の床面に沿って通気グリルと床面との間の隙間に流れ込んだ埃等は、床上部材に引っ掛かりやすいため、その埃等が第２空間に流れ込むことを床上部材により抑制できる。
【００１４】
第３の発明では、第１又は２の発明において、前記空気流入口には、前記通気グリルが着脱可能に取り付けられた取付枠が設けられており、前記取付枠は、上下方向に延びている一対の縦枠部を有しており、前記床上部材は、前記一対の縦枠部の各下端に掛け渡された状態で前記床面の上に設置されている。
【００１５】
第３の発明によれば、床上部材を取付枠に一体化することができる。この場合、取付枠を利用して床上部材を位置保持することが可能となり、床上部材を位置保持するための専用部材を設ける必要がない。したがって、床上部材に埃等が引っ掛かりやすい構成を実現する上で、部材数やコスト負担が増加することを抑制できる。
【００１６】
第４の発明では、第３の発明において、前記床上部材は、前記取付枠から前記通気グリルが取り外された状態で、前記縦枠部から前記第１空間側に取り外すことが可能になっている。
【００１７】
第４の発明によれば、床上部材に引っ掛かった埃等がその床上部材と床面との入隅部分に溜まっている場合に、床上部材を取り外すことで、入隅部分がなくなってその入隅部分だった位置に溜まっている埃等を容易に除去することができる。しかも、床上部材を床面に沿って手前側に引き出すことで、入隅部分に溜まっていた埃等を手前側にかき出すことができ、その埃等を除去する際の作業効率を高めることができる。
【００１８】
第５の発明では、第４の発明において、前記通気グリルは、前記縦枠部との間に前記床上部材を介在させた状態で該縦枠部に対して着脱可能に取り付けられており、前記床上部材は、前記縦枠部と前記通気グリルとの間に挟まれることで前記縦枠部に対する組み付け状態で保持され、前記縦枠部から前記通気グリルが取り外されることに伴って前記組み付け状態が解除されるものである。
【００１９】
第５の発明によれば、取付枠から通気グリルを取り外すことで、取付枠における床上部材の組み付け状態が解除されるため、床上部材を容易に取り外すことができる。したがって、床上部材と床面との入隅部分に溜まった埃等を除去する作業をさらに容易化できる。また、床上部材を組み付け状態で保持する構成を、専用部材を使用せずに通気グリルにより実現することができる。
【００２０】
第６の発明では、第５の発明において、前記通気グリルは、当該通気グリルの幅方向に延びる複数のスラットと、それらスラットを連結する連結部材とを有しており、前記連結部材は、各スラットに掛け渡されるようにして上下方向に延びる長尺部材であり、前記縦枠部との間に前記床上部材を介在させる位置に設けられており、前記縦枠部との間に前記床上部材を介在させた状態で該縦枠部に重ねられている。
【００２１】
第６の発明によれば、取付枠から通気グリルを取り外すことで、床上部材が縦枠部と連結部材との間に挟まれた状態を解除できる。つまり、取付枠に対する床上部材の組み付け状態を解除できる。しかも、連結部材と縦枠部とは互いに重ねられているため、それら縦枠部と連結部材との隙間を小さくすることができる。これにより、空気と共に空気流入口に流れ込んだ埃等が取付枠と通気グリルとの間に溜まることを抑制できる。
【００２２】
第７の発明では、第６の発明において、前記縦枠部には、前記通気グリルとは反対側に向けて凹んだ凹み部が形成されており、前記床上部材は、前記凹み部に入り込んだ状態で前記縦枠部と前記連結部材との間に介在している。
【００２３】
第７の発明によれば、凹み部が縦枠部に形成されているため、その凹み部を床上部材に形成する必要がない。この場合、床上部材を凹み部に入れ込みさえすれば、床上部材の周面のうち特定の面を下に向けるといった必要がないため、縦枠部に対する床上部材の組み付け作業を容易化できる。
【００２４】
第８の発明では、第１乃至７のいずれかの発明において、前記通気グリルにおける複数のスラットのうち最下段のスラットと、前記床上部材との間に隙間が形成されており、前記最下段のスラットにおいては、前記第１空間側の端部が前記床上部材の上端部よりも低い位置にあり、前記第２空間側の端部が前記床上部材の上端部よりも高い位置にある。
【００２５】
第８の発明によれば、床面と最下段のスラットとの間に流れ込んだ空気は、床上部材を上側に避けるようにして、最下段のスラットの下面に沿って流れる。この場合、最下段のスラットの下面により空気の流れる方向が床上部材に向けて制限されるため、空気と共に空気流入口に流れ込んだ埃等が床上部材に引っ掛かりやすい構成を実現できる。
【００２６】
第９の発明では、第１乃至８のいずれかの発明において、階段と、該階段を昇降するための昇降空間と、同階段の下方に形成された階段下空間とを備えている建物に適用され、前記仕切体には、前記第１空間としての前記昇降空間と、前記第２空間としての前記階段下空間との間に立設され、前記階段における各段の蹴込部が含まれており、前記空気流入口は、前記各段の蹴込部のうち最下段の蹴込部に設けられており、前記通気グリルは、前記昇降空間側からの着脱が可能な状態で前記最下段の蹴込部に対して取り付けられている。
【００２７】
階段下空間の高さ寸法が階段により制限されていることに起因して、ユーザが階段下空間に入り込んで最下段の蹴込部についての掃除を行うことは困難であると考えられる。これに対して、第９の発明によれば、ユーザは昇降空間にいながらにして蹴込部についての掃除を行うことができる。したがって、最下段の蹴込部に空気流入口が形成されている構成において、空気流入口についての掃除を容易化することができる。
【００２８】
第１０の発明の建物の空間仕切構造は、階段と、該階段を昇降するための昇降空間と、同階段の下方に形成された階段下空間とを備え、前記階段は、前記昇降空間と前記階段下空間との間に立設された蹴込部を有しており、前記蹴込部には、前記昇降空間から前記階段下空間に空気を流れ込ませることが可能な空気流入口が設けられ、前記空気流入口には通気グリルが設けられており、該通気グリルは、前記蹴込部に対してマグネットにより固定されていることを特徴とする。
【００２９】
蹴込部に空気流入口が形成されている階段については、階段下空間の高さ寸法が階段により制限されていることに起因して、ユーザが階段下空間に入り込んで空気流入口についての掃除を行うことは困難であると考えられる。これに対して、第１０の発明によれば、マグネットによる吸着を解除するという容易な作業により通気グリルを空気流入口から取り外すことができるため、ユーザは昇降空間にいながらにして空気流入口についての掃除を行うことができる。
【図面の簡単な説明】
【００３０】
【図１】階段の構成を示す図
【図２】通気部の構成を示す階段の縦断面図
【図３】階段における通気部周辺の正面図
【図４】取付枠の構成を示す図
【図５】別の通気部の構成を示す階段の縦断面図
【発明を実施するための形態】
【００３１】
以下、本発明を具体化した一実施形態について図面を参照しつつ説明する。本実施形態では、本発明の空間仕切構造を、階段を有する二階建て建物において具体化している。図１は階段１５の構成を示す図である。なお、図１においては、（ａ）に階段１５の縦断面図を示し、（ｂ）に階段１５の平面図を示す。
【００３２】
図１に示すように、住宅等の建物１０は、下階部としての一階部分１１と、一階部分１１の上に設けられた上階部としての二階部分１２とを有している。一階部分１１には一階居室１１Ａ及び一階廊下１１Ｂが設けられており、二階部分１２には二階居室１２Ａ及び二階廊下１２Ｂが設けられている。これら居室１１Ａ，１２Ａ及び廊下１１Ｂ，１２Ｂはいずれも屋内空間である。
【００３３】
建物１０は、一階部分１１と二階部分１２との行き来を可能とする階段１５と、その階段１５が設置された階段空間１６とを有している。階段空間１６は、階段１５から上方に向けて延びており、一階部分１１と二階部分１２とに跨って設けられた吹抜空間である。階段空間１６は、一階部分１１においては一階廊下１１Ｂと連通しており、二階部分１２においては二階廊下１２Ｂと連通している。なお、階段１５を昇降する際に人が使用する昇降空間には、階段空間１６に加えて、廊下１１Ｂ，１２Ｂのそれぞれにおける階段空間１６側の少なくとも一部が含まれている。
【００３４】
建物１０は、屋内空間を区画する壁体を有している。壁体には、屋内外を仕切る外壁（図示略）と、屋内空間同士を仕切る間仕切壁２１とが含まれている。一階部分１１においては、階段空間１６と一階居室１１Ａとが間仕切壁２１により仕切られており、二階部分１２においては、階段空間１６と二階居室１２Ａとが間仕切壁２１により仕切られている。
【００３５】
階段１５は、複数の段を有しており、踏み部３１及び蹴込部３２を段ごとに有している。踏み部３１は踏み板を含んで構成されており、蹴込部３２は蹴込板を含んで構成されている。また、階段１５は、各踏み部３１を支持する桁部３３を有している。桁部３３は、踏み部３１及び蹴込部３２を挟んで一対設けられている。各桁部３３は、階段１５の昇降方向に沿って延びており、踏み部３１の端部を支持する側桁となっている。桁部３３は、階段空間１６を区画する間仕切壁２１等の壁体に取り付けられている。なお、桁部３３は、踏み部３１の中央寄りに配置されていてもよい。つまり、ささら桁とされていてもよい。
【００３６】
階段空間１６の下方には階段下空間３５が設けられている。階段空間１６と階段下空間３５とは上下に隣り合っており、階段１５により上下に仕切られている。階段１５においては、蹴込部３２が階段空間１６と階段下空間３５との間に立設されており、踏み部３１が階段空間１６と階段下空間３５との間に寝た状態で設けられている。この場合、蹴込部３２は階段空間１６と階段下空間３５とを左右に仕切っていることになり、踏み部３１は階段空間１６と階段下空間３５とを上下に仕切っていることになる。
【００３７】
階段下空間３５と一階居室１１Ａとは隣り合っており、それら階段下空間３５と一階居室１１Ａとは間仕切壁２１により仕切られている。間仕切壁２１には、階段下空間３５と一階居室１１Ａとを連通する階段下出入口３７が形成されている。階段下出入口３７には、開き戸等の階段下ドア３８が設けられている。なお、階段下出入口３７の高さ寸法は、階段下出入口３７が階段１５の下方に設けられていることに起因して制限されており、一般的な出入口の高さ寸法よりも小さくされている。
【００３８】
階段下空間３５には、エアコン等の空調装置４１が設置されている。空調装置４１には空調ダクトが接続されており、空調装置４１は、空調ダクトを通じて居室１１Ａ，１２Ａなどに空調空気を供給する。空調装置４１は、建物１０内の空気を還気として取り込む還気部４２を有しており、還気部４２から取り込んだ還気から空調空気を生成する。
【００３９】
階段下空間３５は、空調装置４１が設置された機械室として使用される他に、物品を収納する収納室としても使用される。階段下空間３５においては、空調装置４１の上方に棚板４４が設けられており、棚板４４の上側が物品収納スペースになっている。棚板４４は、階段下出入口３７の上端よりも低い位置に配置されており、階段下ドア３８が開放されることで、棚板４４の物品収納スペースが階段下出入口３７を通じて一階居室１１Ａに露出する。このため、階段下出入口３７の高さ寸法が制限されていても、棚板４４に対する物品の出し入れを容易に行うことができるようになっている。
【００４０】
なお、一階居室１１Ａや一階廊下１１Ｂ、階段空間１６は居住空間に相当し、階段下空間３５は非居住空間に相当する。
【００４１】
本実施形態では、階段１５に通気部５１，５２が形成されており、一階廊下１１Ｂの空気が通気部５１，５２を通じて還気部４２から空調装置４１に取り込まれるようになっている。通気部５１は、下から一段目（最下段）の蹴込部３２に設けられた一段目通気部５１であり、通気部５２は、下から二段目の蹴込部３２に設けられた二段目通気部５２である。この場合、一階廊下１１Ｂの空気が通気部５１，５２を通じて階段下空間３５に流れ込むことになり、一階廊下１１Ｂが第１空間に相当し、階段下空間３５が第２空間に相当する。また、一段目の蹴込部３２が第１空間と第２空間とを仕切る仕切体に相当する。
【００４２】
ここでは、通気部５１，５２の構成について図２を参照しつつ説明する。図２は通気部５１，５２の構成を示す階段１５の縦断面図、図３は階段１５における通気部５１，５２周辺の正面図、図４は取付枠６２の構成を示す図である。なお、図３においては、（ａ）に、通気部５１，５２のそれぞれに通気グリル６１が取り付けられた状態を示し、（ｂ）に、一段目通気部５１から通気グリル６１が取り外された状態を示す。図４においては、（ａ）に、取付枠６２における下枠部６８周辺の分解斜視図を示し、（ｂ）に、階段１５における通気部５１，５２周辺の正面図であって、一段目通気部５１から通気グリル６１及び下枠部６８が取り外された状態の図を示す。
【００４３】
まず、一段目通気部５１について説明する。図２に示すように、一階廊下１１Ｂ及び階段下空間３５の床部においては、床面が床面材５５により形成されている。床面材５５は、フローリング等により形成されており、根太等の床下地材の上に設置されている。
【００４４】
図２、図３に示すように、一段目通気部５１は、床面材５５と一段目の踏み部３１との間に形成されている。一段目の蹴込部３２は、踏み板を有しておらず、床面材５５と一段目の踏み部３１との間の離間部分のほぼ全体が一段目通気部５１になっている。一段目の蹴込部３２は、一段目通気部５１を一階廊下１１Ｂ側から覆う通気グリル６１と、通気グリル６１が取り付けられている取付枠６２とを有している。なお、一段目通気部５１（通気グリル６１及び取付枠６２）を挟んで一階廊下１１Ｂ側と階段下空間３５側とで、床面（床面材５５）の高さレベルが同じになっている。一段目通気部５１は、床面から上方に向けて延びており、空気流入口に相当する。
【００４５】
通気グリル６１は、複数のスラット６３と、それらスラット６３を連結する連結部材６４とを有している。各スラット６３は、それぞれ横長板状の羽板であり、所定間隔で上下に並べられている。この場合、通気グリル６１を羽板付きグリルと称することもできる。通気グリル６１においては、上下に隣り合うスラット６３の離間部分が空気の流れる通気部になっている。各スラット６３は、一階廊下１１Ｂ側の板面を斜め上方に向け、階段下空間３５側の板面を斜め下方に向けた状態で配置されている。この場合、各スラット６３においては、一階廊下１１Ｂ側の端部が下端になっており、階段下空間３５側の端部が上端になっている。これにより、一段目の蹴込部３２を一階廊下１１Ｂ側から見下ろす人にとっては、各スラット６３の板面が見えるだけでスラット６３同士の間の通気部が見えにくくなっている。
【００４６】
連結部材６４は、上下方向に延びている長尺部材であり、各スラット６３に掛け渡された状態で設けられている。連結部材６４は、スラット６３の両端のそれぞれに配置されており、各スラット６３の端部同士を連結している。各スラット６３には、短手方向に向けて凹んだ切り欠き部が形成されており、連結部材６４は、各スラット６３の切り欠き部に入り込んだ状態でそれらスラット６３に対してビスや接着剤などにより固定されている。この場合、各スラット６３は連結部材６４よりも階段下空間３５側に突出しないようになっている。
【００４７】
通気グリル６１は、各スラット６３の中間部分同士を連結する中間部材６５を有している。中間部材６５は、連結部材６４と同様に上下方向に延びる長尺部材であり、各スラット６３に掛け渡された状態になっている。この場合、各スラット６３に撓みが発生することが中間部材６５により抑制される。
【００４８】
取付枠６２は、一対の縦枠部６６と、それら縦枠部６６に掛け渡されている上枠部６７及び下枠部６８とを有しており、全体として矩形枠状に形成されている。取付枠６２は、一段目の踏み部３１と床面材５５との間に立設されており、それら踏み部３１と床面材５５とに掛け渡された状態になっている。取付枠６２は、踏み部３１や床面材５５、桁部３３などに対してビスや接着剤などにより固定されている。下枠部６８は床面材５５の上に載置されており、一段目通気部５１の幅方向に沿って延びている。この場合、下枠部６８は、床面材５５から上方に向けて突出した状態になっており、床面の上に設けられた床上部材に相当する。
【００４９】
各スラット６３のうち最も下（最下段）のスラット６３ａは、床面材５５から上方に離間しており、最下段のスラット６３ａと床面との間には隙間が形成されている。この場合、通気グリル６１と床面との間に隙間が形成されていることになる。また、取付枠６２の下枠部６８は、最下段のスラット６３ａよりも奥側（階段下空間３５側）に配置されており、最下段のスラット６３ａは、下枠部６８からも離間している。ここで、一階廊下１１Ｂ側から最下段のスラット６３ａと床面材５５との間の隙間に空気が流れ込んだ場合、その空気は下枠部６８を乗り越えて階段下空間３５に向けて流れる。空気と共に埃やゴミ等の異物が、最下段のスラット６３ａと床面材５５との間に流れ込んだ場合、下枠部６８を乗り越えることができずにその下枠部６８に引っ掛かった埃等は、下枠部６８の手前側に溜まることになる。
【００５０】
最下段のスラット６３ａは、下枠部６８の上端を上下に跨いだ状態で設けられている。最下段のスラット６３ａにおいては、その下端部が下枠部６８の上端よりも低い位置にあり、その上端部が下枠部６８の上端よりも高い位置にある。この場合、最下段のスラット６３ａが、下枠部６８と床面材５５との段差部分を一階廊下１１Ｂ側の斜め上方から覆った状態になっており、下枠部６８と床面材５５との入隅部分（段差部分）に埃等が溜まっていても、一階廊下１１Ｂ側から見下ろす人の目線からではその埃等が見えにくくなっている。
【００５１】
通気グリル６１は、取付枠６２に対して一階廊下１１Ｂ側からの着脱が可能な状態で取り付けられている。この場合、通気グリル６１は、一階廊下１１Ｂ側から取付枠６２に重ねられた状態になっている。取付枠６２には、磁石としてのマグネット７１が取り付けられ、通気グリル６１には、鉄等の強磁性体により形成されたマグネット受け部７２が取り付けられており、磁力によってマグネット７１にマグネット受け部７２が吸着されることで、通気グリル６１が取付枠６２に取り付けられた状態になっている。
【００５２】
マグネット７１は、取付枠６２において各縦枠部６６のそれぞれに取り付けられている。マグネット７１は、通気グリル６１側（一階廊下１１Ｂ側）から縦枠部６６の側面に対して埋め込まれており、マグネット７１の少なくとも一部が通気グリル６１側に露出している。なお、マグネット７１は、上下方向において各縦枠部６６のほぼ中央にそれぞれ１つだけ配置されている。
【００５３】
マグネット受け部７２は、通気グリル６１において連結部材６４のそれぞれに取り付けられている。マグネット受け部７２は、取付枠６２側（階段下空間３５側）から連結部材６４の側面に対して埋め込まれており、マグネット受け部７２の少なくとも一部が取付枠６２側に露出している。マグネット受け部７２は、連結部材６４のそれぞれにおいて、取付枠６２のマグネット７１と対向する位置に配置されており、マグネット７１とほぼ同じ上下寸法を有している。
【００５４】
通気グリル６１が取付枠６２に装着された状態では、マグネット受け部７２がマグネット７１に吸着されている。この場合、縦枠部６６と連結部材６４とが互いに対向しており、それぞれの対向面が重なった状態になっている。ここで、マグネット７１は縦枠部６６から連結部材６４に向けて突出しておらず、マグネット受け部７２は連結部材６４から縦枠部６６に向けて突出していない。このため、縦枠部６６と連結部材６４との間に隙間が生じにくくなっている。
【００５５】
なお、マグネット７１及びマグネット受け部７２のうち一方が他方に向けて突出しており、その他方が一方とは反対側に向けて陥没していてもよい。例えば、マグネット７１が縦枠部６６から突出しており、マグネット受け部７２が連結部材６４の内側に向けて陥没した構成とする。この場合でも、マグネット受け部７２の陥没部分（連結部材６４の凹み部分）にマグネット７１が入り込んだ状態となることで、縦枠部６６と連結部材６４との間に隙間が生じにくくなっている。
【００５６】
取付枠６２においては、上枠部６７が縦枠部６６の上に載せられた状態でその縦枠部６６に対してビスや接着剤により固定されている。この場合、縦枠部６６の上端面と上枠部６７の下面とが重ねられた状態になっている。一方、下枠部６８は、縦枠部６６と通気グリル６１の連結部材６４との間に挟まれた状態になっており、それら縦枠部６６と連結部材６４との間に挟まれることで、縦枠部６６に組みつけられた組み付け状態で保持されている。
【００５７】
なお、下枠部６８は、縦枠部６６及び連結部材６４の両方に必ずしも当接していなくてもよく、当接している否かに関係なく縦枠部６６と連結部材６４との間に介在（存在）していることになる。
【００５８】
縦枠部６６の下端部には、通気グリル６１とは反対側（階段下空間３５側）に向けて凹んだ凹み部７５が形成されており、下枠部６８はその凹み部７５に通気グリル６１側から入り込んだ状態になっている。蹴込部３２の厚み方向において、凹み部７５の凹み寸法は下枠部６８の厚み寸法とほぼ同じにされており、下枠部６８は、凹み部７５に入り込んだ状態で縦枠部６６よりも通気グリル６１側に突出しないようになっている。このため、通気グリル６１が取付枠６２に取り付けられた状態で、連結部材６４と縦枠部６６との間に隙間が生じにくくなっている。
【００５９】
下枠部６８は、縦枠部６６に対する直接的な固定はされておらず、マグネット受け部７２をマグネット７１から引き離すようにして通気グリル６１を取付枠６２から取り外すことで、下枠部６８に対する縦枠部６６と連結部材６４との挟み込みが解除される。つまり、縦枠部６６に対する下枠部６８の組み付け状態が解除される。これにより、図４（ａ）に示すように、縦枠部６６の凹み部７５から下枠部６８を取り外すことが可能になる。
【００６０】
下枠部６８と床面材５５との入隅部分に埃等が溜まっている場合、下枠部６８を凹み部７５から床面に沿って手前側に引き出すことで、異物をかき出すことができる。ここで、取付枠６２から通気グリル６１を取り外すことで、下枠部６８と床面材５５との入隅部分が一階廊下１１Ｂ側に露出するため、それだけでも、入隅部分の掃除を容易に行うことが可能となるが、下枠部６８により埃等をかき出すことでその埃等を入隅部分から容易に除去することができる。
【００６１】
さらに、図４（ｂ）に示すように、下枠部６８を取り外した後は、一段目通気部５１について床面材５５の上に障害物がなくなるため、一段目通気部５１から掃除機Ｋなどを床面に沿って差し込むことが可能になる。この場合、下枠部６８を縦枠部６６から取り外すことができない構成とは異なり、下枠部６８の奥側を掃除機Ｋなどにより掃除する際に、その掃除機Ｋなどに下枠部６８を乗り越えさせる必要がない。したがって、一階廊下１１Ｂにいながらにして、一段目通気部５１を通じて階段下空間３５の掃除を容易に行うことができる。また、取り外した下枠部６８を洗うことも可能である。
【００６２】
図２の説明に戻り、二段目通気部５２について、一段目通気部５１との相違点を中心に説明する。
【００６３】
二段目通気部５２は、一段目の踏み部３１と二段目の踏み部３１との間に形成されている。二段目の蹴込部３２は、一段目の蹴込部３２と同様に踏み板を有しておらず、一段目の踏み部３１と二段目の踏み部３１とのほぼ全体が二段目通気部５２になっている。二段目の蹴込部３２は、通気グリル６１を有している一方で、取付枠６２を有しておらず、通気グリル６１が一段目の踏み部３１や二段目の踏み部３１、桁部３３に対してビス等の固定具により固定されている。
【００６４】
二段目の蹴込部３２の通気グリル６１は、二段目の踏み部３１の下方において、一段目の踏み部３１の奥側（階段下空間３５側）に配置されている。この通気グリル６１は、一段目の蹴込部３２の通気グリル６１とは異なり、一階廊下１１Ｂ側から着脱できない状態で固定されている。この通気グリル６１の連結部材６４においては、その側面が一段目の蹴込部３２の奥側端面に重ねられているとともに、その上端面が二段目の蹴込部３２の下面に重ねられた状態になっている。この場合、二段目の踏み部３１に人が乗ると、その加重が連結部材６４にも加えられることになる。
【００６５】
以上詳述した本実施形態によれば、以下の優れた効果が得られる。
【００６６】
階段１５の一段目通気部５１において、取付枠６２の下枠部６８が床面の上に設置されているため、一階廊下１１Ｂの空気と一緒に一段目通気部５１に流れ込む埃等が下枠部６８に引っ掛かってその下枠部６８の手前側に溜まりやすくなる。この場合、下枠部６８の手前側に埃等が溜まっていても、下枠部６８に代えて例えばフィルタが設けられている構成とは異なり、フィルタの目詰まりが生じるということがなく、一段目通気部５１における空気流入量が低下することにはならない。
【００６７】
しかも、一階廊下１１Ｂから見て下枠部６８は通気グリル６１の奥側に配置されているため、通気グリル６１が下枠部６８を覆い隠した状態になっていることで、一階廊下１１Ｂからの一段目通気部５１の見た目が下枠部６８に引っ掛かった埃等により損なわれることを抑制できる。また、一段目通気部５１から通気グリル６１を取り外すことで、ユーザは一階廊下１１Ｂにいながらにして、下枠部６８の手前側に溜まって埃等を除去することはもちろんのこと、下枠部６８の奥側も掃除することが可能となる。
【００６８】
以上により、空気が流れ込む一段目通気部５１について、埃等による空気流入量の低下を抑制することができ、しかも、掃除を容易なものとすることができる。
【００６９】
一階廊下１１Ｂから通気グリル６１と床面との間の隙間を通じて階段下空間３５に流れ込む空気は、下枠部６８を上側に避けるようにして流れることになる。この場合、空気と共に一階廊下１１Ｂの床面に沿って通気グリル６１と床との間の隙間に流れ込んだ埃等は、下枠部６８に引っ掛かりやすいため、その埃等が階段下空間３５に流れ込むことを下枠部６８により抑制できる。
【００７０】
通気グリル６１において最下段のスラット６３ａは、その一階廊下１１Ｂ側の端部が下端とされ、階段下空間３５側の端部が上端とされているため、最下段のスラット６３ａと床面との間の隙間を流れる空気は、最下段のスラット６３ａの下面に沿って流れることで下枠部６８を上側に避けやすくなっている。この場合、最下段のスラット６３ａと下枠部６８との間の隙間を空気が流れやすくなっている一方で、その空気と一緒に流れる埃等は下枠部６８に引っ掛かりやすくなっている。
【００７１】
下枠部６８が一対の縦枠部６６に掛け渡された状態になっているため、床面の上に載置された下枠部６８を取付枠６２の一部として縦枠部６６に対して一体化することができる。この場合、取付枠６２を利用して下枠部６８を位置保持することが可能となり、下枠部６８を位置保持するための専用部材を設ける必要がない。したがって、下枠部６８に埃等が引っ掛かりやすい構成を実現する上で、部材数やコスト負担が増加することを抑制できる。
【００７２】
取付枠６２から通気グリル６１を取り外した状態では、下枠部６８を縦枠部６６から一階廊下１１Ｂ側に取り外すことが可能になっているため、下枠部６８と床面材５５との入隅部分に埃等が溜まっている場合に、その埃等を容易に除去することができる。これは、下枠部６８を取り外すことで下枠部６８と床面材５５との入隅部分がなくなるためである。しかも、下枠部６８を床面に沿って手前側に引き出すことで、入隅部分に溜まっていた埃等を手前側にかき出すことができ、埃等を除去する際の作業効率を高めることができる。
【００７３】
取付枠６２から通気グリル６１を取り外すことで、取付枠６２の縦枠部６６に対する下枠部６８の組み付け状態が解除されるため、下枠部６８を容易に取り外すことができる。したがって、下枠部６８と床との入隅部分に溜まった埃等を除去する作業をさらに容易化できる。また、下枠部６８を組み付け状態で保持する構成を、専用部材を使用せずに通気グリルを利用して実現することができる。
【００７４】
取付枠６２に通気グリル６１が取り付けられた状態では、取付枠６２の縦枠部６６と通気グリル６１の連結部材６４とが重ねられているため、空気と共に一段目通気部５１に流れ込んだ埃等が縦枠部６６と連結部材６４との間に溜まることを抑制できる。
【００７５】
縦枠部６６と連結部材６４とが重ねられている構成を実現するための凹み部７５が、縦枠部６６に形成されているため、その凹み部７５を下枠部６８に形成する必要がない。この場合、下枠部６８を縦枠部６６の凹み部７５に入れ込みさえすれば、下枠部６８の周面のうち特定の面を下に向けるなど下枠部６８を所定の向きに設定する必要がないため、縦枠部６６に対する下枠部６８の組み付け作業を容易化できる。
【００７６】
階段１５において一段目の蹴込部３２に一段目通気部５１が設けられ、その一段目通気部５１に対して床上部材としての下枠部６８が設けられているため、階段下空間３５という狭小空間にユーザが入り込まなくても、一階廊下１１Ｂや階段空間１６にいながらにして一段目通気部５１に対する掃除を容易に行うことができる。
【００７７】
取付枠６２に対して通気グリル６１がマグネット７１により固定されているため、通気グリル６１を取付枠６２から引き離すという容易な作業を行うことで、通気グリル６１を一段目通気部５１から取り外すことができる。これにより、一段目通気部５１に対する掃除をより一層容易なものとすることができる。
【００７８】
［他の実施形態］
本発明は上記実施形態の記載内容に限定されず、例えば次のように実施されてもよい。
【００７９】
（１）上記実施形態では、蹴込部３２の厚み方向において、下枠部６８のほぼ全体が縦枠部６６の凹み部７５内に入り込んだ状態になっているが、凹み部７５内に入り込んでいるのは下枠部６８の一部であってもよい。例えば、凹み部７５の凹み寸法が下枠部６８の厚み寸法よりも小さい構成とする。この構成では、凹み部７５から下枠部６８が突出した分だけ、縦枠部６６と連結部材６４との間に隙間が形成されてしまうが、この場合でも、通気グリル６１の連結部材６４と縦枠部６６との間に下枠部６８を挟み込んだ状態にすることができる。
【００８０】
（２）上記実施形態では、取付枠６２において下枠部６８が縦枠部６６の凹み部７５に入り込んだ状態になっているが、凹み部７５は下枠部６８や、通気グリル６１の連結部材６４に設けられていてもよい。例えば、凹み部７５が縦枠部６６に設けられておらず、連結部材６４に設けられている構成とする。この構成では、下枠部６８は縦枠部６６の一階廊下１１Ｂ側において床面に載置され、通気グリル６１が、連結部材６４の凹み部７５に下枠部６８が入り込んだ状態で取付枠６２に取り付けられている。この場合でも、下枠部６８は、連結部材６４と縦枠部６６との間に挟まれた状態になっている。
【００８１】
また、凹み部７５が下枠部６８に設けられた構成とする。この構成では、下枠部６８を縦枠部６６に組み付ける際に、下枠部６８の凹み部７５を縦枠部６６側に向けることで、下枠部６８の凹み部７５に縦枠部６６の下端部が入り込んだ状態とすることができる。これにより、下枠部６８が縦枠部６６と連結部材６４との間に挟まれた状態になっている。なお、凹み部７５は、下枠部６８及び縦枠部６６の両方に形成されていてもよい。
【００８２】
さらに、凹み部７５は、縦枠部６６、下枠部６８及び連結部材６４のいずれにも設けられていてなくてもよい。この場合でも、下枠部６８が縦枠部６６よりも通気グリル６１側に配置されていれば、下枠部６８を連結部材６４と縦枠部６６との間に挟み込んだ状態で位置保持できる。
【００８３】
（３）上記実施形態では、取付枠６２において、下枠部６８が縦枠部６６に対して直接的に固定されていないが、下枠部６８は、縦枠部６６に対して直接的に固定されていてもよい。例えば、下枠部６８が磁石（マグネット）や引掛部材などの固定手段により縦枠部６６に対して着脱可能に固定されている構成とする。
【００８４】
この構成では、下枠部６８が縦枠部６６と連結部材６４との間に挟み込まれておらず、下枠部６８が縦枠部６６の下方に配置されている。磁石が固定手段とされた構成では、縦枠部６６の下端面に磁石が埋め込まれ、下枠部６８の上面に磁石受け部が埋め込まれ、磁石受け部が磁石に吸着されることで下枠部６８が縦枠部６６に着脱可能に固定されている。また、引掛部材が固定手段とされた構成では、引掛状態と解除状態とに移行可能な引掛部材が縦枠部６６の下端部に取り付けられており、引掛部材が引掛状態とされることで下枠部６８が縦枠部６６の下端に対して固定され、引掛部材が解除状態とされることで縦枠部６６に対する下枠部６８の固定が解除される。
【００８５】
下枠部６８が固定手段により縦枠部６６に対して固定されている構成においては、取付枠６２から通気グリル６１を取り外しただけでは縦枠部６６に対する下枠部６８の組み付け状態が解除されないため、通気グリル６１を取付枠６２から取り外した後も下枠部６８が縦枠部６６に対して位置保持されているため、下枠部６８に引っ掛かった埃等を除去する際に下枠部６８が意図せずに移動してしまうということを回避できる。
【００８６】
（４）取付枠６２の下枠部６８は、床面材５５や桁部３３に対して磁石や引掛部材などの固定手段により着脱可能に取り付けられていてもよい。この場合でも、通気グリル６１が取付枠６２から取り外された状態で、下枠部６８を縦枠部６６から取り外すことが可能な構成を実現することになる。
【００８７】
（５）上記実施形態では、下枠部６８が縦枠部６６に対して着脱可能に組み付けられていたが、下枠部６８は縦枠部６６に対してビス等の固定具により着脱できない状態で固定されていてもよい。この場合、縦枠部６６だけでなく下枠部６８にもマグネット７１が取り付けられており、通気グリル６１が縦枠部６６及び下枠部６８の両方に対してマグネット７１の磁力により取り付けられていてもよい。この場合でも、取付枠６２が踏み部３１や床面材５５、桁部３３などに対して着脱可能に取り付けられていれば、取付枠６２を取り外すことで下枠部６８を一段目通気部５１から取り外すことが可能となる。
【００８８】
なお、上記実施形態では、下枠部６８を取付枠６２の一部とみなしていたが、下枠部６８は取付枠６２に含まれていないとみなすこともできる。これは、下枠部６８が縦枠部６６に対して固定されていないためである。この場合、床面の上に載置された床上部材が縦枠部６６に対して組みつけられることで、取付枠６２の一部である下枠部としての役割を果たしていると言うこともできる。
【００８９】
（６）上記実施形態では、通気グリル６１が取付枠６２から取り外された状態で、下枠部６８を一段目通気部５１から取り外し可能とされていたが、通気グリル６１が取付枠６２から取り外されても下枠部６８が一段目通気部５１から取り外すことができない構成としてもよい。この場合でも、通気グリル６１を取付枠６２から取り外すことで、下枠部６８が一階廊下１１Ｂ側に露出するため、その下枠部６８に引っ掛かった埃等を一階廊下１１Ｂ側から除去することが可能となる。
【００９０】
（７）上記実施形態では、取付枠６２が矩形状とされていたが、取付枠６２は下枠部６８さえ有していれば矩形状でなくてもよい。例えば、取付枠６２が、縦枠部６６、上枠部６７及び下枠部６８のうち下枠部６８だけを有しており、下枠部６８が桁部３３などに固定されることで一段目通気部５１に対して固定され、通気グリル６１が下枠部６８に対して固定されている構成とする。この場合でも、一段目通気部５１を空気と共に埃等が通ることで、その埃等が下枠部６８に引っ掛かることになる。
【００９１】
（８）上記実施形態では、上下方向においてマグネット７１が縦枠部６６のほぼ中央に取り付けられていたが、マグネット７１は縦枠部６６に対してどの高さ位置に設けられていてもよい。例えば、図５（ａ）に示すように、１つの縦枠部６６において、マグネット７１が上端寄りの位置と下端寄りの位置とにそれぞれ配置された構成とする。この構成では、１つの縦枠部６６に対して二箇所にてマグネット７１により通気グリル６１が固定されているため、縦枠部６６に対する通気グリル６１の取付強度を高めることができる。
【００９２】
また、上記実施形態では、マグネット受け部７２がマグネット７１とほぼ同じ上下寸法を有していたが、図５（ｂ）に示すように、マグネット受け部７２の上下寸法がマグネット７１の上下寸法よりも大きくされていてもよい。この場合、マグネット７１がマグネット受け部７２に対向可能な範囲が上下方向に大きくされているため、取付枠６２に対する通気グリル６１の取付位置が上下にずれたとしても、マグネット７１をマグネット受け部７２に吸着させることが可能となる。したがって、取付枠６２に対する通気グリル６１の取付位置が上下方向にずれたとしても、マグネット受け部７２とマグネット７１との吸着力が低下しにくくなっており、取付枠６２に対する通気グリル６１の取付強度を確保することができる。
【００９３】
なお、マグネット７１が取付枠６２に取り付けられている構成においては、連結部材６４そのものが鉄等の強磁性体により形成されていてもよい。この場合、連結部材６４の全体がマグネット受け部７２に相当することになり、取付枠６２に対する通気グリル６１の取付可能な範囲を広げることができる。
【００９４】
（９）通気グリル６１は、取付枠６２の縦枠部６６でなく上枠部６７に対して取り付けられていてもよい。例えば、マグネット７１が縦枠部６６ではなく上枠部６７に取り付けられている構成とする。この構成でも、通気グリル６１を取付枠６２に取り付けることが可能である。また、マグネット７１が通気グリル６１（連結部材６４）に取り付けられ、マグネット受け部７２が取付枠６２（縦枠部６６）に取り付けられていてもよい。
【００９５】
（１０）上記実施形態では、通気グリル６１がマグネット７１により取付枠６２に対して着脱可能に取り付けられていたが、取付枠６２に対して通気グリル６１を着脱可能に固定する手段はマグネット７１でなくてもよい。例えば、通気グリル６１に引掛部が設けられ、取付枠６２に被引掛部が設けられており、引掛部が被引掛部に引っ掛けられることで通気グリル６１が取付枠６２に着脱可能に取り付けられている構成とする。また、取付枠６２に向けて突出した突出部が通気グリル６１に設けられ、その突出部が挿通される挿通孔が取付枠６２に設けられており、突出部が挿通孔に挿通されることで通気グリル６１が取付枠６２に着脱可能に取り付けられている構成とする。
【００９６】
（１１）上記実施形態では、通気グリル６１の各スラット６３は取付枠６２の下枠部６８よりも手前側（一階廊下１１Ｂ側）に配置されていたが、スラット６３は、下枠部６８と上下に重なる位置に配置されていてもよい。この場合でも、最下段のスラット６３ａは下枠部６８から離間しており、その離間部分を通じて一階廊下１１Ｂの空気が階段下空間３５に流れ込むことが好ましい。これにより、下枠部６８に埃等が引っ掛かりやすい構成を実現できる。また、最下段のスラット６３ａと下枠部６８との間に通気可能な隙間が形成されている構成であれば、最下段のスラット６３ａにおいて、その手前側の端部が上端部とされ、奥側の端部が下端部とされていてもよい。
【００９７】
（１２）上記実施形態では、最下段のスラット６３ａが下枠部６８の上端を上下に跨いだ状態で設けられているが、そのスラット６３ａは下枠部６８よりも高い位置に設けられていてもよく、下枠部６８の上端よりも低い位置に設けられていてもよい。いずれの場合でも、最下段のスラット６３ａと下枠部６８との間に通気可能な隙間が形成されていればよい。
【００９８】
（１３）上記実施形態では、最下段のスラット６３ａと床面との間に隙間が形成されていたが、最下段のスラット６３ａと床面との間に隙間が形成されていなくてもよい。この場合、最下段（下から一段目）のスラット６３ａと下から二段目のスラット６３との間の隙間よりも高い位置に、下枠部６８の上端部が存在していることが好ましい。これにより、最下段のスラット６３ａと二段目のスラット６３との間を通じて流れ込んだ埃等が下枠部６８に引っ掛かりやすい構成を実現できる。
【００９９】
（１４）通気グリル６１は、連結部材６４の下端同士を連結する横材を有していてもよい。この場合、横材は最下段のスラット６３ａの下方に配置されていることになり、横材と床面との間に隙間が形成されていることが好ましい。つまり、通気グリル６１と床面との間に隙間が形成されていることが好ましい。ただし、横材（通気グリル６１）と床面との間に隙間が形成されていなくても、横材と最下段のスラット６３ａとの間の隙間よりも高い位置に下枠部６８の上端部が存在していれば、上記（１３）と同様に、下枠部６８に埃等が引っ掛かりやすい構成を実現できる。
【０１００】
（１５）取付枠６２は設けられていなくてもよい。例えば、一段目通気部５１においては、取付枠６２を介さずに通気グリル６１が床面材５５や踏み部３１、桁部３３などに直接固定された構成とする。つまり、下枠部６８が設けられていない構成とする。この構成でも、通気グリル６１の奥側において床面材５５の上に床上部材が載置されていることが好ましい。この場合、床上部材が下枠部６８としての役割を果たさなくても、その床上部材に埃等が引っ掛かる構成を実現できる。また、床上部材は、蹴込部３２の幅方向に沿って複数並べられていてもよい。
【０１０１】
（１６）上記実施形態では、取付枠６２の下枠部６８を挟んで一階廊下１１Ｂ側と階段下空間３５側とで、床面の高さレベルが同じになっているが、下枠部６８よりも階段下空間３５側の床面の高さレベルが、一階廊下１１Ｂ側の床面の高さレベルよりも低くされていてもよい。この構成でも、一階廊下１１Ｂの空気が一段目通気部５１を通じて階段下空間３５に流れ込む場合に、その空気と共に流れ込む埃等が下枠部６８に引っ掛かることになる。
【０１０２】
（１７）上記実施形態では、取付枠６２において、１つの下枠部６８が一段目通気部５１の幅方向に沿って延びた状態で設けられているが、複数の下枠部６８が一段目通気部５１の幅方向に並べられていてもよい。この場合、隣り合う下枠部６８は互いに離間していてもよく、この場合でも、各下枠部６８に埃等が引っ掛かる構成を実現できる。なお、各下枠部６８はそれぞれ床面材５５に対して固定されていることが好ましい。
【０１０３】
（１８）上記実施形態では、一段目通気部５１に対して通気グリル６１が着脱可能に取り付けられていたが、二段目通気部５２に対しても通気グリル６１が着脱可能に取り付けられていてもよい。この構成では、一段目の踏み部３１が二段目通気部５２よりも奥側（階段下空間３５側）に延びており、一段目の踏み部３１の上において二段目通気部５２に対して取付枠６２が設置され、その取付枠６２に対して通気グリル６１が着脱可能に取り付けられていることが好ましい。この場合、二段目通気部５２についても、ユーザが一階廊下１１Ｂや階段空間１６にいながらにして通気グリル６１を取付枠６２から取り外し、下枠部６８に引っ掛かった埃等を容易に除去することが可能となる。
【０１０４】
（１９）上記実施形態では、一段目の蹴込部３２が蹴込板を有していなかったが、一段目の蹴込部３２は蹴込板を有していてもよい。例えば、一段目通気部５１が一段目の蹴込部３２の蹴込板を貫通しており、取付枠６２が蹴込板に対して固定されている構成とする。この構成では、蹴込板が取付枠６２を支持するのに十分な強度を有していることが好ましい。
【０１０５】
（２０）上記実施形態では、階段１５の蹴込部３２に空気流入口としての通気部５１，５２が形成されていたが、通気部５１，５２は、間仕切壁２１に形成されていてもよい。つまり、互いに隣り合う第１空間と第２空間とを仕切る仕切体に空気流入口が形成されていればよい。
【０１０６】
例えば、間仕切壁２１における一階居室１１Ａと階段下空間３５とを仕切る部分に空気流入口が形成されており、通気グリル６１が一階居室１１Ａ側からの着脱が可能な状態で空気流入口に取り付けられている構成とする。この構成では、ユーザが階段下空間３５に入り込まなくても、一階居室１１Ａにいながらにして通気グリル６１を空気流入口から取り外し、下枠部６８に引っ掛かった埃等を除去することが可能となる。このため、空気流入口についての掃除を容易に行うことが可能となる。なお、この場合、一階居室１１Ａが第１空間に相当し、階段下空間３５が第２空間に相当する。
【符号の説明】
【０１０７】
１０…建物、１１Ｂ…第１空間としての一階廊下、３２…仕切体としての蹴込部、３５…第２空間としての階段下空間、５１…空気流入口としての一段目通気部、５５…床面を形成する床面材、６１…通気グリル、６２…取付枠、６３…スラット、６４…連結部材、６６…縦枠部、６８…床上部材としての下枠部、７１…マグネット、７５…凹み部。
【図１】
2014136863.tif 000003
【図２】
2014136863.tif 000004
【図３】
2014136863.tif 000005
【図４】
2014136863.tif 000006
【図５】
2014136863.tif 000007